(57)【要約】【課題】  回路基板がケース内を覆うように配置されても、ケース厚みを抑制できるインターホン機器を提供する。【解決手段】  液晶表示器２及び複数の操作ボタン１がケース１０の前面に配置されると共に、マイク３及びスピーカ４がケース１０の前面側に配置され、液晶表示器２を駆動するＬＣＤ駆動回路１７、通話を実施する通話回路を含む回路が組み付けられた回路基板６が、液晶表示器の背部を含む領域に配置される第１の基板と、スピーカ４を後方に露出させるスピーカ挿通スピーカ挿通穴１６を有してスピーカ４の周囲及び操作ボタン１の少なくとも一部の背部を含む領域に配置される第２の基板６ｂとの２枚の回路基板６から成り、第１の基板６ａと第２の基板６ｂとは、重ならない状態で段違いに配置されて、両基板によりケース１０の内部が覆われる。【選択図】  図２
2018050249.tif 000002
【特許請求の範囲】
【請求項１】
液晶表示器から成るモニタ及び複数の操作ボタンがケースの前面に配置されると共に、マイク及びスピーカが前記ケース内に配置され、前記液晶表示器を駆動するＬＣＤ駆動回路、通話を実施するための通話回路を含む回路が組み付けられた回路基板が前記ケースの内部に配置されて成るインターホン機器であって、
前記回路基板は、前記液晶表示器の背部を含む領域に配置される第１の基板と、前記スピーカの周囲及び前記操作ボタンの少なくとも一部の背部を含む領域に配置される第２の基板との２枚を有し、
前記第１の基板と前記第２の基板とは、前記ケースの内部形状に合致した四角形の１枚の基板を分離して形成されてなり、重ならない状態で段違いに配置されて成ることを特徴とするインターホン機器。
【請求項２】
前記第２の基板は、前記スピーカを後方に露出させるスピーカ挿通穴を有して、前記第１の基板よりケース前面寄りに配置され、電源トランスを含む電源回路を構成する素子が前記第２の基板のケース背面側に組み付けられて成ることを特徴とする請求項１記載のインターホン機器。
【発明の詳細な説明】
【技術分野】
【０００１】
本発明は、インターホン子機等の特定の機器との間で通話が可能なインターホン機器に関し、特に映像を表示するモニタを備えたインターホン機器に関する。
【背景技術】
【０００２】
インターホン機器として、玄関等に設置されたインターホン子機から呼び出しに対して通話路を形成して来訪者等と通話することができるインターホン親機がある。このインターホン親機は、インターホン子機に来訪者を撮像するために設けられたカメラの撮像映像を表示するためのモニタを備えたものが普及している。
そして、このインターホン親機は通常壁面に取り付けられるため、前方への突出が小さい薄型のものが好ましく、例えば特許文献１に記載されているように、インターホン機器のケース内に内部空間のほぼ全域に亘る１枚の回路基板を配置し、この１枚の回路基板上に全ての回路を組み付けることで、回路基板を重ねて配置する構成を無くして機器の厚みが極力薄くなるよう形成したものがある。
【先行技術文献】
【特許文献】
【０００３】
【特許文献１】特開２０１３−８４６８号公報
【発明の概要】
【発明が解決しようとする課題】
【０００４】
しかしながら、回路基板に組み付けられる素子は、液晶表示器を駆動するＩＣ化されたＬＣＤ駆動回路や抵抗素子のような比較的高さの低い素子がある一方で、電源を構成するトランスやコンデンサのように比較的高さのある素子がある。そのため、１枚の回路基板にこれらの素子を組み付けた場合、トランス等の高さの大きい素子で回路基板の収納に必要なケースの奥行きが決定され、回路基板の素子搭載面上に広い空間が発生する場合があった。
そのため、高さのある素子に関しては基板を別途設けて組み付けることで、無駄な空間の発生を無くす構成が考えられるが、そうなると従来の複数基板を収納した構成と大差が無くなり、薄型化に大きく寄与させることはできなかった。
【０００５】
そこで、本発明はこのような問題点に鑑み、回路基板がケース内を覆うように配置されても、ケース厚みを抑制できるインターホン機器を提供することを目的としている。
【課題を解決するための手段】
【０００６】
上記課題を解決する為に、請求項１の発明は、液晶表示器から成るモニタ及び複数の操作ボタンがケースの前面に配置されると共に、マイク及びスピーカがケース内に配置され、液晶表示器を駆動するＬＣＤ駆動回路、通話を実施するための通話回路を含む回路が組み付けられた回路基板がケースの内部に配置されて成るインターホン機器であって、回路基板は、液晶表示器の背部を含む領域に配置される第１の基板と、スピーカの周囲及び操作ボタンの少なくとも一部の背部を含む領域に配置される第２の基板との２枚を有し、第１の基板と第２の基板とは、ケースの内部形状に合致した四角形の１枚の基板を分離して形成されてなり、重ならない状態で段違いに配置されて成ることを特徴とする。
この構成によれば、２枚の回路基板のうちの一方の第２の基板は、液晶表示器を除いた操作ボタンの背部等に配置されるため、ケース内の前後方向に比較的広い素子収容空間を形成することが可能であり、高さのある素子を第２の基板にまとめて配置することでケース全体の厚みを抑制でき、薄型のインターホン機器を得ることが可能となる。
また、２枚の回路基板は、ケースの内部形状に合致した基板を分離して作製されるため、回路基板を重ねて配置しなくても十分な素子搭載面を確保できるし、基板に形成した回路形状の都合で両基板の境目が複雑な形状となっても基板間に大きな隙間が発生することもない。
加えて、回路基板を２枚としても製造工程は１枚の工程で済むため、大幅なコスト増とならない。
【０００７】
請求項２の発明は、請求項１に記載の構成において、第２の基板は、スピーカを後方に露出させるスピーカ挿通穴を有して、第１の基板よりケース前面寄りに配置され、電源トランスを含む電源回路を構成する素子が第２の基板のケース背面側に組み付けられて成ることを特徴とする。
この構成によれば、第２の基板は奥行きのあるスピーカを後方に露出させる穴を設けたことで、スピーカ周囲を含むケース前面寄りに配置できる。よって、その裏面に比較的大きい素子配置空間を形成でき、大きい素子を有する電源回路を容易に組み付けできる。結果、第１の基板に組み付けられる素子は高さの低い素子に限定することができる。
【発明の効果】
【０００８】
本発明によれば、２枚の回路基板のうちの一方の第２の基板は、液晶表示器を除いた操作ボタンの背部等に配置されるため、ケース内の前後方向に比較的広い素子収容空間を形成することが可能であり、高さのある素子を第２の基板にまとめて配置することでケース全体の厚みを抑制でき、薄型のインターホン機器を得ることが可能となる。また、ケース内の全域を使って２枚の回路基板が配置されるため、回路基板を重ねて配置しなくても十分な素子搭載面を確保できる。
【図面の簡単な説明】
【０００９】
【図１】本発明に係るインターホン機器の一例を示すインターホン親機の正面図である。
【図２】図１のインターホン親機のケース下を外して回路基板の裏面を露出させた斜視説明図である。
【図３】インターホン親機のケース上を外して回路基板の表面を露出させた正面説明図である。
【図４】図１のＡ−Ａ線断面説明図である。
【図５】第１の基板と第２の基板の関係を示す説明図である。
【発明を実施するための形態】
【００１０】
以下、本発明を具体化した実施の形態を、図面を参照して詳細に説明する。図１〜４は本発明に係るインターホン機器の一例を示し、別途設けられたインターホン子機（図示せず）からの呼び出しに応答するためのインターホン親機を示している。図１はインターホン親機の正面図、図２はケース下を外して回路基板の裏面を露出させた斜視説明図、図３はケース上を外して回路基板の表面を露出させた正面説明図、図４はＡ−Ａ線断面説明図である。
インターホン親機は、インターホン子機からの呼び出しに応答するための通話ボタン１ａ等の各種操作ボタン１（１ａ〜１ｆ）に加えて、インターホン子機に設けられた図示しないカメラの撮像映像を表示する液晶表示器２から成るモニタを設けた構成となっている。
【００１１】
インターホン親機のケース１０は、インターホン親機の前面を形成するケース上１０ａと、背面を有して壁面に密着するケース下１０ｂとで構成されている。ケース上１０ａには、液晶表示器２の表示部２ａを露出させる開口部１２、操作ボタン１が組み付けられる操作ボタン組み付け部１３が設けられ、液晶表示器２、複数の操作ボタン１が組み付けらている。
またケース上１０ａにはマイク孔１４、スピーカ孔１５が設けられ、ケース内となるケース上１０ａ背部の所定部位にマイク３、スピーカ４が組み付けられている。
液晶表示器２はケース上１０ａの上部に配置され、操作ボタン１は中央部と下端の双方に配置され、この中央と下端の操作ボタン１の間にスピーカ４が配置されている。また、マイク３は液晶表示器２の右側上部に配置されている。
【００１２】
ケース１０内には、図２に示すように２枚の回路基板（第１の基板６ａ、第２の基板６ｂ）６が配置され、この２枚の回路基板６によりケース１０の内部が覆われるように回路基板６は形成されている。第１の基板６ａは、液晶表示器２の背部を含むケース１０内の上部を覆い、一部はケース１０の下端まで達する長さを有しており、ケース１０内の約３分の２の領域を覆う大きさを有している。
【００１３】
一方、第２の基板６ｂは、図３に示すようにケース１０内の残りの約３分の１の領域を埋めるよう形成され、第１の基板６ａが配置されない領域を塞ぐよう形成されている。尚、両基板６ａ，６ｂの境は階段状に形成され、僅かな隙間Ｔ１，Ｔ２が設けられて両基板６ａ，６ｂは互いに重ならないように配置されている。
また第２の基板６ｂには、ケース上１０ａに取り付けられたスピーカ４を基板後方に露出させるスピーカ挿通穴１６が穿設されており、第２の基板６ｂはスピーカ４の周囲を含む領域を覆うよう配置されている。 
このように階段状の複雑な形状で分離されているのは、従来の１枚の回路基板の回路の配置を大きく変更することなく、大型の素子が第２の基板６ｂに配置されるよう分離したためで、基板上の回路形成を無理なく実施することを可能としている。
【００１４】
そして、図１のＡ−Ａ線断面を示した図４に示すように、第２の基板６ｂは第１の基板６ａよりケース上１０ａの前面に近いケース前面寄りに配置され、第１の基板６ａと第２の基板６ｂとは段違いに配置されている。尚、両基板６ａ，６ｂはケース１０の前面に平行に配置されている。
２枚の回路基板６は、共に両面に素子を搭載可能としているが、第１の基板６ａは液晶表示器２の背部に配置されるため、液晶表示器２を駆動するＬＣＤ駆動回路１７や各種制御を実施するための図示しないマイコン、更には通話回路が組み付けられている。これらの素子は厚みが比較的小さく、第１の基板６ａの両面に搭載しても液晶表示器２の背部の限られたエリアであっても良好に組み付けできる。
【００１５】
一方、第２の基板６ｂは、スピーカ挿通穴１６を設けてスピーカ４を後方に露出させることで、ケース上１０ａの背面近傍に配置される。そのため、ケース１０の背面側である第２の基板６ｂの裏面には比較的奥行きのある空間を形成でき、この空間を利用して電源回路を中心とした比較的高さのある素子が組み付けられ、電源トランス１８、電源を平滑化するコンデンサ１９等が組み付けられている。
【００１６】
図５は、第１の基板６ａと第２の基板６ｂの関係を示している。図５に示すように、第１の基板６ａと第２の基板６ｂは、ケース１０の内部形状に合致した大きさの四角形の１枚の基板に一体に形成され、図５では分離するためのスリットＴを設けた状態を示している。但し、第１に基板６ａと第２の基板６ｂの連結状態を保持する連結片２０がスリットＴ内の数カ所（ここでは４箇所）に残された状態を示している。この連結片２０は組み付け前にニッパー等で切断されて分離される。
【００１７】
このように、２枚の回路基板６のうちの一方の第２の基板６ｂは、液晶表示器２を除いた操作ボタン１の背部等に配置されるし、奥行きのあるスピーカ４を後方に露出させるスピーカ挿通穴１６を設けたことで、ケース１０の前面寄りに配置してその裏面に、前後方向に比較的広い素子収容空間を形成することが可能であり、高さのある素子を第２の基板６ｂにまとめて配置することでケース１０全体の厚みを抑制でき、薄型のインターホン親機を得ることが可能となる。
その際、大きな素子を有する電源回路を第２の基板６ｂに組み付けることで、第１の基板６ａに組み付けられる素子は高さの低い素子に限定することができる。
また、ケース１０内の全域を使って回路基板６が配置されるため、第１の基板６ａと第２の基板６ｂとを重ねて配置しなくても十分な素子搭載面を確保できる。
更に、第１の基板６ａ、第２の基板６ｂは１枚の基板を分離して作製されるため、基板に形成した回路形状の都合で両基板の境目が複雑な形状となっても、両基板６ａ，６ｂの間に大きな隙間が発生することがないし、両基板６ａ，６ｂに効率良く回路形成ができる。また、回路基板６を２枚としても製造工程は１枚の工程で済むため、大幅なコスト増とならない。
【００１８】
尚、上記実施形態では、第１の基板６ａと第２の基板６ｂとが対峙する互いの端部が複雑な形状であるが、両者の対峙辺は単純な直線であっても良いし、双方とも単純な四角形であっても良い。
また、インターホン子機との間で通話路を形成するインターホン親機を例に説明したが、本発明のインターホン機器は集合住宅の住戸親機を含むのは勿論である。
【符号の説明】
【００１９】
１・・操作ボタン、２・・液晶表示器、３・・マイク、４・・スピーカ、６・・回路基板、６ａ・・第１の基板、６ｂ・・第２の基板、１０・・ケース、１６・・スピーカ挿通穴、１７・・ＬＣＤ駆動回路。
【図１】
2018050249.tif 000003
【図２】
2018050249.tif 000004
【図３】
2018050249.tif 000005
【図４】
2018050249.tif 000006
【図５】
2018050249.tif 000007